(57)【要約】  本明細書及び図面は，移動体通信システムのアップリンク方向に新規修正２重シンボル速度（ＭＤＳＲ）を用いる新規な方法と，システムと，装置と，ソフトウェア製品と，を提示している。移動機とネットワーク要素との間の通信は，進化ＧＳＭ／ＥＤＧＥ無線接続網内で実行することができる。ＭＤＳＲは，移動体通信システムのアップリンク音声サービスのシンボル速度，例えば現行のＧＳＭ／ＥＤＧＥシンボル速度（１３／４８ＭＨｚ），の例えば１．５倍であってもよく，したがってＭＤＳＲは実質的に１３／３２ＭＨｚ，すなわち約４０５ｋＨｚであってよい。ＭＤＳＲを有するアップリンク信号は，例えば直交振幅変調（ＱＡＭ），１６状態を有する１６ＱＡＭ，及び／又は直交位相変調（ＱＰＳＫ又はπ／４シフトＱＰＳＫ）を用いて変調してもよい。
2009533992.tif 000002
【特許請求の範囲】
【請求項１】
サービスベース移動体通信システムにおける移動機が修正２重シンボル速度を有するアップリンク信号を規定するステップであって，前記修正２重シンボル速度は１３／２４ＭＨｚの２重シンボル速度と異なっており，かつ前記移動体通信システムにおけるアップリンク音声サービスのシンボル速度を所定量だけ超えているステップと，
前記移動機が前記アップリンク信号をネットワーク要素へ送信するステップと，
を有する方法。
【請求項２】
前記アップリンク信号は，
直交振幅変調と，
直交位相変調と，
の少なくとも一つを用いて変調する請求項１に記載の方法。
【請求項３】
前記直交振幅変調は，１６状態を有する請求項２に記載の方法。
【請求項４】
前記アップリンク信号は，前記アップリンク音声サービスのビット速度の２倍に実質的に等しいビット速度を有する前記直交振幅変調によって変調する請求項２に記載の方法。
【請求項５】
前記アップリンク信号は，前記アップリンク音声サービスのビット速度に実質的に等しいビット速度を有する前記直交位相変調によって変調する請求項２に記載の方法。
【請求項６】
前記信号は，前記直交振幅変調及び前記直交位相変調双方によって変調する請求項２に記載の方法。
【請求項７】
前記アップリンク信号は，前記帯域幅の電力半値幅が実質的に４０５ｋＨｚに等しい１３／３２ＭＨｚの修正２重シンボル速度を有する請求項１に記載の方法。
【請求項８】
前記修正２重シンボル速度を有する前記アップリンク信号は，データサービス用とする請求項１に記載の方法。
【請求項９】
前記修正２重シンボル速度を有する前記アップリンク信号は，パケット交換サービス専用とする請求項１に記載の方法。
【請求項１０】
前記修正２重シンボル速度を有する前記アップリンク信号は，回線交換サービス用及びパケット交換サービス用の双方とする請求項１に記載の方法。
【請求項１１】
前記移動機と前記ネットワーク要素との間の前記通信は，進化世界移動体通信システム・世界進化形用強化データ速度無線接続網内で実行する請求項１に記載の方法。
【請求項１２】
前記ネットワーク要素は無線基地局装置とする請求項１に記載の方法。
【請求項１３】
前記アップリンク信号は，前記帯域幅の電力半値幅が実質的に３２５ｋＨｚに等しい１３／４０ＭＨｚの修正２重シンボル速度を有する請求項１に記載の方法。
【請求項１４】
前記移動機が修正シンボル速度を有するダウンリンク信号を受信するステップであって，前記修正シンボル速度は前記移動体通信システムにおける前記アップリンク音声サービスの前記シンボル速度を更なる所定量だけ超えているステップ
を更に有する請求項１に記載の方法。
【請求項１５】
計算機プログラム製品であって，計算機プロセッサが実行する計算機プログラムコードを組み込んだ計算機可読記憶構造を備え，前記計算機プログラムコードは，請求項１に記載の方法を実行する命令を有し，前記移動機の任意のコンポーネント又はコンポーネントの組合せによって実行するように標示されている計算機プログラム製品。
【請求項１６】
移動体通信システムの移動機であって，
修正２重シンボル速度を有するアップリンク信号を発生するように構成したアップリンク信号発生モジュールであって，前記修正２重シンボル速度は１３／２４ＭＨｚの２重シンボル速度と異なっており，かつ前記移動体通信システムにおけるアップリンク音声サービスのシンボル速度を所定量だけ超えているモジュールと，
前記アップリンク信号をネットワーク要素へ送信するように構成したモジュールと，
を備える移動機。
【請求項１７】
前記アップリンク信号は，
直交振幅変調と，
直交位相変調と，
の少なくとも一つを用いて変調する請求項１６に記載の移動機。
【請求項１８】
前記直交振幅変調は，１６状態を有する請求項１７に記載の移動機。
【請求項１９】
前記アップリンク信号は，前記アップリンク音声サービスのビット速度の２倍に実質的に等しいビット速度を有する前記直交振幅変調によって変調する請求項１７に記載の移動機。
【請求項２０】
前記アップリンク信号は，前記アップリンク音声サービスのビット速度に実質的に等しいビット速度を有する前記直交位相変調によって変調する請求項１７に記載の移動機。
【請求項２１】
前記信号は，前記直交振幅変調及び前記直交位相変調双方によって変調する請求項１７に記載の移動機。
【請求項２２】
前記アップリンク信号は，前記帯域幅の電力半値幅が実質的に４０５ｋＨｚに等しい１３／３２ＭＨｚの修正２重シンボル速度を有する請求項１６に記載の移動機。
【請求項２３】
前記修正２重シンボル速度を有する前記アップリンク信号は，データサービス用とする請求項１６に記載の移動機。
【請求項２４】
前記修正２重シンボル速度を有する前記アップリンク信号は，パケット交換サービス専用とする請求項１６に記載の移動機。
【請求項２５】
前記修正２重シンボル速度を有する前記アップリンク信号は，回線交換サービス用及びパケット交換サービス用の双方とする請求項１６に記載の移動機。
【請求項２６】
前記移動機と前記ネットワーク要素との間の前記通信は，進化世界移動体通信システム・世界進化用強化データ速度無線接続網内で実行する請求項１６に記載の移動機。
【請求項２７】
前記アップリンク信号は，前記帯域幅の電力半値幅が実質的に３２５ｋＨｚに等しい１３／４０ＭＨｚの修正２重シンボル速度を有する請求項１６に記載の移動機。
【請求項２８】
前記移動機が備えるモジュール又は別個の受信器は，修正シンボル速度を有するダウンリンク信号を受信するように更に構成されており，前記修正シンボル速度は前記移動体通信システムにおける前記アップリンク音声サービスの前記シンボル速度を更なる所定量だけ超えている請求項１６に記載の移動機。
【請求項２９】
移動体通信システムであって，
修正２重シンボル速度を有するアップリンク信号を供給するように構成された移動機であって，前記修正２重シンボル速度は１３／２４ＭＨｚの２重シンボル速度と異なっており，かつ前記移動体通信システムにおけるアップリンク音声サービスのシンボル速度を所定量だけ超えている移動機と，
前記アップリンク信号を受信するように構成したネットワーク要素と，
を備える移動体通信システム。
【請求項３０】
前記アップリンク信号は，
直交振幅変調と，
直交位相変調と，
の少なくとも一つを用いて変調する請求項２９に記載の移動体通信システム。
【請求項３１】
前記移動機は，無線通信デバイス，携帯デバイス，移動体通信デバイス，携帯電話機，又はカメラ機能付き携帯電話機とする請求項２９に記載の移動体通信システム。
【請求項３２】
移動体通信システムのネットワーク要素であって，
修正２重シンボル速度を有するアップリンク信号を受信するように構成した受信器であって，前記修正２重シンボル速度は１３／２４ＭＨｚの２重シンボル速度と異なっており，かつ前記移動体通信システムにおけるアップリンク音声サービスのシンボル速度を所定量だけ超えている受信器と，
前記アップリンク信号を更なるネットワーク要素へ更なるアップリンクを介して送信するように構成した処理・再送信モジュールと，
を備えるネットワーク要素。
【請求項３３】
前記アップリンク信号は，
直交振幅変調と，
直交位相変調と，
の少なくとも一つを用いて変調する請求項３２に記載のネットワーク要素。
【請求項３４】
前記修正２重シンボル速度を有する前記アップリンク信号における干渉を減少させるために，移動機に対する命令信号を供給するように構成したＭＤＳＲスケジュール管理モジュールを更に備える請求項３２に記載のネットワーク要素。
【請求項３５】
修正シンボル速度を有するダウンリンク信号を送信するように構成した送信器であって，前記修正シンボル速度は前記移動体通信システムにおける前記アップリンク音声サービスの前記シンボル速度を更なる所定量だけ超えている送信器を更に備える請求項３２に記載のネットワーク要素。
【請求項３６】
前記ダウンリンク信号は，前記帯域幅の電力半値幅が実質的に３２５ｋＨｚに等しい１３／４０ＭＨｚの修正２重シンボル速度を有する請求項３２に記載のネットワーク要素。
【請求項３７】
移動体通信システムのネットワーク要素が修正２重シンボル速度を有するアップリンク信号を受信するステップであって，前記修正２重シンボル速度は１３／２４ＭＨｚの２重シンボル速度と異なっており，かつ前記移動体通信システムにおけるアップリンク音声サービスのシンボル速度を所定量だけ超えているステップと，
前記ネットワーク要素が前記アップリンク信号を更なるネットワーク要素へ更なるアップリンクを介して再送信するステップと，
を有する方法。
【請求項３８】
前記アップリンク信号は，
直交振幅変調と，
直交位相変調と，
の少なくとも一つを用いて変調する請求項３７に記載の方法。
【請求項３９】
前記移動機が供給する前記アップリンク信号における干渉を減少させるために，移動機に対する命令信号を前記ネットワーク要素が供給するステップを更に備える請求項３７に記載の方法。
【請求項４０】
計算機プログラム製品であって，計算機プロセッサが実行する計算機プログラムコードを組み込んだ計算機可読記憶構造を備え，前記計算機プログラムコードは，請求項３７に記載の方法を実行する命令を有し，前記ネットワーク要素の任意のコンポーネント又はコンポーネントの組合せによって実行するように標示されている計算機プログラム製品。
【請求項４１】
移動体通信システムの移動機であって，
修正２重シンボル速度を有するアップリンク信号を発生するように構成されたアップリンク信号発生手段であって，前記修正２重シンボル速度は１３／２４ＭＨｚの２重シンボル速度と異なっており，かつ前記移動体通信システムにおけるアップリンク音声サービスのシンボル速度を所定量だけ超えている手段と，
前記アップリンク信号をネットワーク要素へ送信するように構成した送受信手段と，
を備える移動機。
【請求項４２】
前記信号発生手段は，アップリンクスケジュール管理及び信号発生モジュールとする請求項４１に記載の移動機。
【請求項４３】
修正２重シンボル速度を有するアップリンク信号を受信する手段であって，前記修正２重シンボル速度は１３／２４ＭＨｚの２重シンボル速度と異なっており，かつ前記移動体通信システムにおけるアップリンク音声サービスのシンボル速度を所定量だけ超えているステップと，
前記修正２重シンボル速度を有する前記アップリンク信号を更なるネットワーク要素へ更なるアップリンクを介して再送信する手段と，
を備えるネットワーク要素。
【請求項４４】
前記修正２重シンボル速度を有する前記アップリンク信号における干渉を減少させるために，移動機に対する命令信号を供給する手段を更に備える請求項４３に記載のネットワーク要素。
【発明の詳細な説明】
【技術分野】
【０００１】
本発明は概略，移動体通信に関し，より詳細には移動体通信システムにおけるアップリンクの新規な修正２重シンボル速度（ＭＤＳＲ）に関する。
【背景技術】
【０００２】
３ＧＰＰ（第３世代パートナシッププロジェクト）のＧＥＲＡＮ（ＧＳＭ（世界移動体通信システム）／ＥＤＧＥ（世界進化形用強化データ速度）無線接続網）技術グループにおいて，ＥＤＧＥの更なる進化形候補が提示された。アップリンク性能改善のために２重シンボル速度（ＤＳＲ）が提案されている。３ＧＰＰ寄書，例えば米国アトランタで開催された3GPP TSG GERAN #27会合のGP-05261，議題項目7.1.5.5，"Updates for Dual Symbol Rate Section of the Feasibility Study on Future GERAN Evolution"に示されているように，ＤＳＲにおいてはＧＳＭ／ＥＤＧＥのシンボル速度は２倍になり，送信信号は隣接搬送波と重複することが許される。ＤＳＲはＵＬ（アップリンク）データスペクトラム効率をほぼ２倍にし，したがってＥＤＧＥ進化形用の興味深いＵＬ容量強化機能である。システム性能の観点から見れば，隣接ＤＳＲ搬送波が部分的に重複しているので周波数計画を注意深く行う必要がある。図１に示すとおりＤＳＲ搬送波は，通常の２００ｋＨｚ幅搬送波に対して約６００ｋＨｚ幅のスペクトラムを有するので，この重複は通常の２００ｋＨｚ搬送波用になされた基本周波数計画に“ブレーキをかける”。ＤＳＲの思想においては，シンボル速度が２倍になり，したがって同一変調方式によって無線インタフェース上のビット速度を２倍にすることができる。これによって，現行ＥＧＰＲＳ（強化はん用パケット無線サービス）符号化方式の送信ビット速度を２倍にするだけで，該方式をＤＳＲに適用することができるようになる。このように元のＥＧＰＲＳのリンク適応及び増分冗長性はＤＳＲと両立する。
【０００３】
またＥＧＰＲＳの場合，データコネクションがホッピング層に割り当てられているときは，干渉条件を考慮する必要がある。データコネクションは通常，音声コネクションより多くの干渉を起こす（例えば，Ｃ／Ｉ（搬送波干渉波比）及び目標がＡＭＲ／ＦＳ（適応複数速度・全速度音声）に比べて高いので，データはより大きな送信電力を利用するため）。
【０００４】
図１に示すとおり，ＤＳＲ搬送波は隣接搬送波と重複しており，そのためＤＳＲを用いる網においては干渉状態が悪化する。したがってＤＳＲの場合，元の周波数再利用があいまいになる。隣接ＤＳＲ搬送波が重複しているので，基本周波数計画を用いているとき，ＤＳＲを適用すると干渉状態を制御できなくなる。
【０００５】
更にＥＧＰＲＳの場合，データトラヒックが本来音声トラヒックだけに計画されたホッピング層に割り当てられるので，データコネクションからの干渉増加が問題になることがある。干渉の増加は音声トラヒック性能を低下させる。
【０００６】
ＧＳＭシステムにおいては，同一チャネル干渉及び隣接チャネル干渉は周波数計画によって制御される。データトラヒックと音声トラヒックとは別の周波数に分離することができるので，音声とデータとは互いに干渉しない。データトラヒックは，ＢＣＣＨ（同報制御チャネル）ＴＲＸ（送受信器）に十分な資源がある限り，ＢＣＣＨ周波数に割り当てることができる。しかしＢＣＣＨ ＴＲＸ能力がデータ送信に十分でないとき，ホッピング層資源のうち一定量をデータ用に予約する必要がある。この場合，音声コネクションとデータコネクションとが互いに干渉する。ＥＧＰＲＳ電力制御は，データトラヒックによって生じる干渉を制御できる一方法であるが，そのときはデータスループットと音声品質とのトレードオフが行われる。
【０００７】
３ＧＰＰにおいてＥＤＧＥ進化形用に提案されたＤＳＲの思想に関しては，ＤＳＲ搬送波帯域がより広くなることによって生じる干渉を制御するために利用できる特定の解決策はない。ＤＳＲの可能性検討において述べられているとおり（上で引用したGP-052610参照），現行の解決策は，ＩＲＣ（干渉除去結合）受信器を用いて，網内の干渉増加に対処を試みることである。また，２００５年１２月２１日，フィンランド特許出願第２００５５６８７号として出願されたJari Hulkkonen及びOlli Piirainenの発明，"Radio channel allocation and link adaptation in cellular telecommunication system"に提案されているような，干渉条件に応じてチャネルを割り当てる高度チャネル割当て法を用いることもできるが，これらはより複雑な割当てアルゴリズム，干渉評価，等を必要とする。
【０００８】
更にＤＳＲはＢＴＳ（無線基地局装置）受信器に広い帯域幅（３ｄＢ帯域幅５４１ｋＨｚ）を必要とするので，例えば周波数シンセサイザの周波数ステップ幅，アナログデジタル変換器のサンプリング速度，及び／又はアナログフィルタについて，いくつかの基盤設備ベンダ（すなわち，ほかのＢＴＳ製造事業者）にいくつかの問題を起こす可能性があるように思われる。（進化項目は，基盤設備側のソフトウェア変更だけで済むことが望ましいことに注意されたい。）
【０００９】
合意された既存ＥＤＧＥ標準に対して現在も開発活動が継続されており，それには（空間ダイバシチ及び２重搬送波のような）ダウンリンクの改善が主として含まれている。システムのサービス範囲を改善し，データ速度を改善することを真に可能にするためには，アップリンクをより注意深く考慮することが望ましい。現在のＧＳＭ／ＥＤＧＥアルゴリズム開発は高性能ＩＲＣアルゴリズムを含んでおり，無線リンク性能への干渉の影響を実際に軽減することができる。それでもなお，既存ＧＳＭ／ＥＤＧＥ網におけるＩＲＣアルゴリズムの能力は十分に活用されていない。
【発明の開示】
【課題を解決するための手段】
【００１０】
本発明の第１態様によれば，方法はサービスベース移動体通信システムにおける移動機が修正２重シンボル速度を有するアップリンク信号を規定するステップであって，上記修正２重シンボル速度は１３／２４ＭＨｚの２重シンボル速度と異なっており，上記移動体通信システムにおけるアップリンク音声サービスのシンボル速度を所定量だけ超えているステップと，上記移動機が上記アップリンク信号をネットワーク要素へ送信するステップと，を有する。
【００１１】
本発明の第１態様によれば更に，上記アップリンク信号は，直交振幅変調と，直交位相変調と，の少なくとも一つを用いて変調してもよい。更に，上記直交振幅変調は，１６状態を有してもよい。また更に，上記アップリンク信号は，上記アップリンク音声サービスのビット速度の２倍に実質的に等しいビット速度を有する上記直交振幅変調によって変調してもよい。また更に，上記アップリンク信号は，上記アップリンク音声サービスのビット速度に実質的に等しいビット速度を有する上記直交位相変調によって変調してもよい。また更に，上記信号は，上記直交振幅変調及び上記直交位相変調双方によって変調してもよい。
【００１２】
更に本発明の第１態様によれば，上記アップリンク信号は，上記電力半値帯域幅が実質的に４０５ｋＨｚに等しい１３／３２ＭＨｚの修正２重シンボル速度を有してもよい。
【００１３】
また更に本発明の第１態様によれば，上記修正２重シンボル速度を有する上記アップリンク信号は，データサービス用であってよい。
【００１４】
本発明の第１態様によればまた更に，上記修正２重シンボル速度を有する上記アップリンク信号は，パケット交換サービス専用であってよい。
本発明の第１態様によればまた更に，上記修正２重シンボル速度を有する上記アップリンク信号は，回線交換サービス用及びパケット交換サービス用の双方であってよい。
【００１５】
本発明の第１態様によればまた更に，上記移動機と上記ネットワーク要素との間の上記通信は，進化世界移動体通信システム・世界進化形用強化データ速度無線接続網内で実行してもよい。
【００１６】
本発明の第１態様によればまた更に，上記ネットワーク要素は無線基地局装置であってよい。
【００１７】
また更に本発明の第１態様によれば，上記アップリンク信号は，上記電力半値帯域幅が実質的に３２５ｋＨｚに等しい１３／４０ＭＨｚの修正２重シンボル速度を有してもよい。
【００１８】
また更に本発明の第１態様によれば，上記方法は，上記移動機が修正シンボル速度を有するダウンリンク信号を受信するステップであって，上記修正シンボル速度は上記移動体通信システムにおける上記アップリンク音声サービスの上記シンボル速度を更なる所定量だけ超えているステップを更に有してもよい。
【００１９】
本発明の第２態様によれば，計算機プログラム製品は，計算機プロセッサが実行する計算機プログラムコードを組み込んだ計算機可読記憶構造を備え，上記計算機プログラムコードは，本発明の第１態様を実行する命令を有し，上記移動機の任意のコンポーネント又はコンポーネントの組合せによって実行するように標示されている。
【００２０】
本発明の第３態様によれば，移動体通信システムの移動機は，修正２重シンボル速度を有するアップリンク信号を発生するように構成されたアップリンク信号発生モジュールであって，上記修正２重シンボル速度は１３／２４ＭＨｚの２重シンボル速度と異なっており，上記移動体通信システムにおけるアップリンク音声サービスのシンボル速度を所定量だけ超えているモジュールと，上記アップリンク信号をネットワーク要素へ送信するように構成したモジュールと，を備える。
【００２１】
また更に本発明の第３態様によれば，上記アップリンク信号は，直交振幅変調と，直交位相変調と，の少なくとも一つを用いて変調してもよい。更に上記直交振幅変調は，１６状態を有してもよい。また更に，上記アップリンク信号は，上記アップリンク音声サービスのビット速度の２倍に実質的に等しいビット速度を有する上記直交振幅変調によって変調してもよい。また更に，上記アップリンク信号は，上記アップリンク音声サービスのビット速度に実質的に等しいビット速度を有する上記直交位相変調によって変調してもよい。また更に，上記信号は，上記直交振幅変調及び上記直交位相変調双方によって変調してもよい。
【００２２】
更に本発明の第３態様によれば，上記アップリンク信号は，上記電力半値帯域幅が実質的に４０５ｋＨｚに等しい１３／３２ＭＨｚの修正２重シンボル速度を有してもよい。
【００２３】
また更に本発明の第３態様によれば，上記修正２重シンボル速度を有する上記アップリンク信号は，データサービス用であってよい。
【００２４】
また更に本発明の第３態様によれば，上記修正２重シンボル速度を有する上記アップリンク信号は，パケット交換サービス専用であってよい。
【００２５】
また更に本発明の第３態様によれば，上記修正２重シンボル速度を有する上記アップリンク信号は，回線交換サービス用及びパケット交換サービス用の双方であってよい。
【００２６】
また更に本発明の第３態様によれば，上記移動機と上記ネットワーク要素との間の上記通信は，進化世界移動体通信システム・世界進化用強化データ速度無線接続網内で実行してもよい。
【００２７】
また更に本発明の第３態様によれば，上記アップリンク信号は，上記電力半値帯域幅が実質的に３２５ｋＨｚに等しい１３／４０ＭＨｚの修正２重シンボル速度を有してもよい。
【００２８】
また更に上記移動機が備えるモジュール又は別個の受信器は，修正シンボル速度を有するダウンリンク信号を受信するように更に構成されており，上記修正シンボル速度は上記移動体通信システムにおける上記アップリンク音声サービスの上記シンボル速度を更に所定量だけ超えていてもよい。
【００２９】
本発明の第４態様によれば，移動体通信システムは，修正２重シンボル速度を有するアップリンク信号を供給するように構成された移動機であって，上記修正２重シンボル速度は１３／２４ＭＨｚの２重シンボル速度と異なっており，上記移動体通信システムにおけるアップリンク音声サービスのシンボル速度を所定量だけ超えている移動機と，上記アップリンク信号を受信するように構成したネットワーク要素と，を備える。
【００３０】
本発明の第４態様によれば更に，上記アップリンク信号は，直交振幅変調と，直交位相変調と，の少なくとも一つを用いて変調する。
【００３１】
本発明の第４態様によれば更に，上記移動機は，無線通信デバイス，携帯デバイス，移動体通信デバイス，携帯電話機，又はカメラ機能付き携帯電話機であってよい。
【００３２】
本発明の第５態様によれば，移動体通信システムのネットワーク要素は，修正２重シンボル速度を有するアップリンク信号を受信するように構成した受信器であって，上記修正２重シンボル速度は１３／２４ＭＨｚの２重シンボル速度と異なっており，上記移動体通信システムにおけるアップリンク音声サービスのシンボル速度を所定量だけ超えている受信器と，上記アップリンク信号を更なるネットワーク要素へ更なるアップリンクを介して送信するように構成した処理・再送信モジュールと，を備える。
【００３３】
本発明の第５態様によれば更に，上記アップリンク信号は，直交振幅変調と，直交位相変調と，の少なくとも一つを用いて変調してもよい。
【００３４】
更に本発明の第５態様によれば，上記修正２重シンボル速度を有する上記アップリンク信号における干渉を減少させるために，移動機に対する命令信号を供給するように構成したＭＤＳＲスケジュール管理モジュールを更に備えてもよい。
【００３５】
また更に本発明の第５態様によれば，修正シンボル速度を有するダウンリンク信号を送信するように構成した送信器であって，上記修正シンボル速度は上記移動体通信システムにおける上記アップリンク音声サービスの上記シンボル速度を更なる所定量だけ超えている送信器を更に備えてもよい。
【００３６】
本発明の第５態様によればまた更に，上記ダウンリンク信号は，上記電力半値帯域幅が実質的に３２５ｋＨｚに等しい１３／４０ＭＨｚの修正２重シンボル速度を有してもよい。
【００３７】
本発明の第６態様によれば，上記方法は更に，移動体通信システムのネットワーク要素が修正２重シンボル速度を有するアップリンク信号を受信するステップであって，上記修正２重シンボル速度は１３／２４ＭＨｚの２重シンボル速度と異なっており，上記移動体通信システムにおけるアップリンク音声サービスのシンボル速度を所定量だけ超えているステップと，上記ネットワーク要素が上記アップリンク信号を更なるネットワーク要素へ更なるアップリンクを介して再送信するステップと，を有してもよい。
【００３８】
本発明の第６態様によれば更に，上記アップリンク信号は，直交振幅変調と，直交位相変調と，の少なくとも一つを用いて変調してもよい。
【００３９】
更に本発明の第６態様によれば，上記方法は，上記移動機が供給する上記アップリンク信号における干渉を減少させるために，移動機に対する命令信号を上記ネットワーク要素が供給するステップを更に備えてもよい。
【００４０】
本発明の第７態様によれば，計算機プログラム製品は，計算機プロセッサが実行する計算機プログラムコードを組み込んだ計算機可読記憶構造を備え，上記計算機プログラムコードは，本発明の第６態様を実行する命令を有し，上記ネットワーク要素の任意のコンポーネント又はコンポーネントの組合せによって実行するように標示されている。
【００４１】
本願発明の特徴及び目的をより良く理解できるように，以降，添付の図面を用いて詳細に説明する。
【発明を実施するための最良の形態】
【００４２】
移動体通信システム内のアップリンク方向（移動機からネットワーク要素へ）に新規な修正２重シンボル速度（ＭＤＳＲ）を用いる新規な方法と，システムと，装置と，ソフトウェア製品と，が提示される。移動機とネットワーク要素との間の通信は，進化世界移動体通信システム・世界進化形用強化データ速度（ＧＳＭ／ＥＤＧＥ）無線接続網内で実行してもよい。ネットワーク要素は，例えば無線基地局装置（ＢＴＳ）であってよい。移動機は，無線通信デバイス，携帯デバイス，移動体通信デバイス，携帯電話機，又はカメラ機能付き携帯電話機，等であってよい（しかしそれに限定されない）。
【００４３】
本発明の実施例によれば，修正２重シンボル速度は例えばアップリンク音声サービスのシンボル速度，例えば移動体通信システムにおいて実質的に１８０ｋＨｚに等しい電力半値帯域幅を有する現行ＧＳＭ／ＥＤＧＥシンボル速度（１３／４８ＭＨｚ）の１．５倍であってよい。このように修正２重シンボル速度は，約４０５ｋＨｚの−３ｄＢ（電力半値）帯域幅を有する，実質的に１３／３２ＭＨｚであってよい。また，修正２重シンボル速度は，アップリンク音声サービスのシンボル速度を所定量だけ超えるほかの値であってもよい。例えば修正２重シンボル速度は，実質的に３２５ｋＨｚに等しい電力半値帯域幅を有する１３／４０ＭＨｚのシンボル速度等であってもよい。アップリンクにおいて修正２重シンボル速度を用いることに加えて，修正シンボル速度はダウンリンクにも用いることができ，その場合修正シンボル速度は移動体通信システムにおけるアップリンク音声サービスの上記シンボル速度を更に所定量だけ超えるものであってよい。例えばダウンリンクにおける修正シンボル速度は，実質的に３２５ｋＨｚに等しい電力半値帯域幅を有する１３／４０ＭＨｚであってよい。
【００４４】
本発明の更なる実施例によれば，ＭＤＳＲを有するアップリンク信号は，直交振幅変調（ＱＡＭ），例えば１６状態を有する１６ＱＡＭ，及び／又は任意選択で直交位相変調（ＱＰＳＫ又はπ／４ ＱＰＳＫ）を用いて変調してもよい。更にほかの種別の変調方式，例えば３２状態を有する３２ＱＡＭも同様に用いることができる。
【００４５】
更にＭＤＳＲを用いるアップリンク信号は，アップリンクＥＧＰＲＳサービスのビット速度の２倍に実質的に等しいビット速度，すなわちＤＳＲの場合に提供されるのと同一のビット速度，を有する直交振幅変調（例えば１６ＱＡＭ）を用いて変調してもよい。更にＭＤＳＲを用いるアップリンク信号は，アップリンク音声サービスのビット速度に実質的に等しいビット速度を有する直交位相変調（ＱＰＳＫ）を用いて変調してもよい。
【００４６】
修正２重シンボル速度を有するアップリンク信号はパケット交換（ＰＳ）サービスに用いてもよく，音声送信は，例えばＧＳＭ（世界移動体通信システム）サービスを用いた回線交換（ＣＳ）サービスによって実現してもよい。
【００４７】
修正２重シンボル速度を有するアップリンク信号は，データ送信サービス（例えばＰＳサービス）に用いてもよいし，データ送信サービス及び音声送信サービス（例えばＣＳサービス）双方に用いてもよい。
【００４８】
３／２シンボル速度を用いるＭＤＳＲと，１６ＱＡＭ（及び／又はＱＰＳＫ）と，ＥＧＰＲＳ符号化方式とは，“すし詰め（ｔｉｇｈｔ ｐａｃｋａｇｅ）”用であることに注意されたい。この設定によってだれかが現行ＥＧＰＲＳ符号化方式を用いて，現行ＥＧＰＲＳによって単純なリンク適応及び増分冗長性を提供することができる。これらのサービスは次のとおり要約することができる。
ＥＱＰＲＳでは８ＰＳＫを用いる。３ビット／シンボル＊１ｘシンボル速度＝３ビット／原シンボル期間。
ＤＳＲでは８ＰＳＫを用いるが２ｘシンボル速度を適用する。３ビット／シンボル＊２ｘシンボル速度＝６ビット／原シンボル期間。
ＭＤＳＲでは３／２ｘシンボル速度を有する１６ＱＡＭ（又はＱＰＳＫ）を用いる。４ビット／シンボル＊３／２ｘシンボル速度＝６ビット／原シンボル期間（又は２ビット／シンボル＊３／２シンボル速度＝３ビット／原シンボル期間）。
このようにＭＤＳＲを用いる１タイムスロットには原ＥＧＰＲＳよりも２ｘ（ＱＰＳＫでは１ｘ）だけ多いビットがあり，元の符号化方式を用いることを容易にしている。ＭＤＳＲのシンボル速度及び変調方式は，原符号化方式を再利用する必要性によって選択する必要がある。
【００４９】
表１にＭＤＳＲ信号と，ＤＳＲ信号と，ＥＤＧＥ（又は均等にＥＧＰＲＳ）信号との例について近似のパラメータを示す。ＣＣＩレベルと，ＡＣＩ１レベルと，ＡＣＩ２レベルとは，それぞれ同一チャネル干渉と，第１隣接チャネル干渉と，第２隣接チャネル干渉と，である。
【表１】
2009533992.tif 000003
【００５０】
提案した新規ＭＤＳＲは，元のＤＳＲに比べて帯域幅（ＢＷ）が狭い。したがってこのＭＤＳＲは，基盤設備ベンダの実装により良く適合することができる。ネットワーク要素（例えばＢＴＳ）におけるソフトウェア（ＳＷ）更新を可能にするために，利用する受信器は，周波数領域等化器と呼ばれることもある周波数領域ＭＭＳＥ（最小二乗平均推定器），すなわちＦＤ（周波数領域）−ＭＭＳＥであってよいことに更に注意されたい。この受信器アルゴリズムはかなり単純であり，推定される複雑さによっては，既存製品にＳＷだけで実装することができる。図２は，中でも本発明の実施例によるアップリンク通信に修正２重シンボル速度（ＭＤＳＲ）を用いた移動体通信システム１０のブロック図の例を示す図である。
【００５１】
図２の例において，移動機（すなわちユーザ装置）４２はアップリンク信号発生モジュール４６と，送信器・受信器・処理モジュール４４と，を備える。本発明においては，移動機４２は，無線通信デバイス，携帯デバイス，移動体通信デバイス，携帯電話機，カメラ機能付き携帯電話機，等であってよい。図２の例において，ネットワーク要素４０（例えばＢＴＳ又はノードＢ）は，送信器４８と，受信器４７と，処理・再送信モジュール４７ａ（モジュール４７ａはモジュール４７と結合してもよい）と，任意選択でＭＤＳＲスケジュール管理モジュール５０と，を備えてもよい。モジュール４６は，一般に信号発生手段又はその構造的均等物（すなわち均等構造物）であってよいことに注意されたい。またモジュール４４は，一般に送信手段及び／又は受信手段，例えば送受信器，又はその構造的均等物（すなわち均等構造物）であってよい。更に受信器４７は，一般にアップリンク信号受信手段，例えば送受信器，又はその構造的均等物（すなわち均等構造物）であってよい。更に処理・再送信モジュール４７ａは，一般にアップリンク信号再送信手段，例えば送受信器，又はその構造的均等物（すなわち均等構造物）であってよい。またＭＤＳＲスケジュール管理モジュール５０は，一般に命令信号供給手段，又はその構造的均等物（すなわち均等構造物）であってよい。
【００５２】
本発明の実施例によれば，ネットワーク，例えばＭＤＳＲスケジュール管理モジュール５０は，ここで説明したＭＤＳＲを用いてアップリンク信号を発生するために，ＭＤＳＲアップリンク命令信号（すなわち信号５２）を任意選択で提供してもよい。例えば信号５２は，ＭＤＳＲを用いるアップリンク信号において干渉を制御するために，周波数及びタイムスロットの再利用と，電力制御と，搬送周波数シフトと，に関する情報を含んでもよい（しかしそれに限定されない）。信号５２に含まれる命令は，移動機４２のモジュール４４に転送され（信号５２ａ），そして更にモジュール４６に転送される（信号５２ｂ）。モジュール４６は信号５２ｂに含まれるアップリンク再利用命令を用いてＵＬ信号５４（例えばデータ及び／又は音声情報を含む）を発生し，この信号はモジュール４４によってネットワーク要素４０の受信器４７へ転送され（信号５４ａ），そして処理・再送信モジュール４７ａによって処理され，更なるネットワーク要素（例えば無線基地局制御装置）アップリンク方向へ更に転送される。
【００５３】
アップリンクにおいて修正２重シンボル速度を用いることに加えて，修正２重シンボル速度をダウンリンクにおいて，例えばダウンリンク（ＤＬ）信号５６を送信するために用いてもよいことに注意されたい。ここで修正２重シンボル速度は，移動体通信システムにおけるアップリンク音声サ−ビスのシンボル速度を更に所定量だけ超えてもよい（例えば修正２重シンボル速度は，上述のとおり実質的に３２５ｋＨｚに等しい電力半値帯域幅を有する１３／４０ＭＨｚであってよい）。
【００５４】
本発明の実施例によれば，モジュール４４，４６，４７，４７ａ，又は５０は，ソフトウェアブロック，ハードウェアモジュール若しくはブロック，又はそれらの組合せとして実現することができる。更に，モジュール４４，４６，４７，４７ａ，又は５０はそれぞれ，別個のモジュールとして実現してもよいし，移動機４２又はネットワーク要素４０の任意のほかのモジュール又はブロックと結合してもよいし，機能によっていくつかのブロックに分離してもよい。送信器・受信器・処理ブロック４４は多数の方法で実現することができ，通常は送信器，受信器，ＣＰＵ（中央処理ユニット），等を含むことができる。送信器及び受信器は，例えば当業において既知の送受信器のような一つのモジュールに結合してもよい。モジュール４４は，モジュール４６とネットワーク要素４０との有効な通信を提供する。
【００５５】
図３は，中でも本発明の実施例による進化ＤＳＲのブロック誤り率をほかの方法と対比して示すグラフの例である。
【００５６】
横軸はＳＮＲであり，ノイズ電力は信号帯域幅によらず２７０ｋＨｚ帯域幅で計算している。この方法によって，同一のＴＸ（送信器）電力と比較できるブロック誤り率が得られる。ＭＣＳ−５及びＭＣＳ−７は，既に標準に存在する二つのＥＧＰＲＳ符号化方式の名称である。ＤＣ ＥＤＧＥは，２重搬送波ＥＤＧＥを指す。２重搬送波においては，合計ＴＸ電力を同一に保つために各搬送波はＴＸ電力を半分に減じなければならないので，基本的にＥＧＰＲＳの結果は３ｄＢだけシフトされている。曲線６２がＥＧＰＲＳの結果である。
【００５７】
原データ速度を２倍にしたＤＳＲ（曲線６４）は，ＥＧＰＲＳ（曲線６２）と約１ｄＢの差がある。ＭＤＳＲ（シンボル速度１３／２４ＭＨｚ）の曲線は，わずかに性能が悪い。すなわち，ａ）曲線６６（１６ＱＡＭ ＭＣＳ−５）はＤＳＲ（曲線６４）と比べて約１ｄＢ劣っているが，２重搬送波（曲線７０）より１ｄＢ勝っている。ｂ）曲線６８（ＱＰＳＫ ＭＣＳ−７）は，曲線６６と同一のデータ速度であるが，曲線６６よりも０．５ｄＢ性能がよい。ｃ）曲線６０（ＱＰＳＫ ＭＣＳ−５）は，曲線７０よりも４ｄＢ性能がよい。曲線６２はＭＣＳ−５用参照ＥＧＰＲＳであり，曲線６０（同一速度であるが性能がよりよい）を除くほかのすべての曲線と比べてデータ速度が１／２である。
【００５８】
図４は，本発明の実施例による，アップリンク通信用修正２重シンボル速度（ＭＤＳＲ）を有する移動体通信システムの性能を示すフローチャートである。
【００５９】
図４のフローチャートは，中でも一つの可能性のあるシナリオを表すものに過ぎない。図４のステップの順序は絶対に必要なものではなく，したがって一般には順不同で種々のステップを実行してもよい。本発明の実施例による方法においては，最初のステップ８０において移動機が修正２重シンボル速度（ＭＤＳＲ）を有するアップリンク信号を供給する。このＭＤＳＲは，例えばここで説明した実施例によるアップリンク音声サービスのシンボル速度の１．５倍であってよい。次のステップ８２において，ネットワーク要素はアップリンク信号を受信し，更なるネットワーク要素へアップリンクを介して転送する。
【００６０】
次のステップ８４において，ネットワーク要素はＭＤＳＲを用いるアップリンク信号を発生させる命令信号を供給することができる。ここでこの命令信号は，周波数及びタイムスロットの再利用，電力制御，及び／又はＭＤＳＲを有するアップリンク信号における干渉を制御するための搬送周波数，に関する情報を含んでもよい。次のステップ８６において，移動機は命令信号を用いてＭＤＳＲを有するアップリンク信号を修正する。
【００６１】
上述のとおり，本発明は方法と，その方法ステップを実行する機能を提供する種々のモジュールからなる対応装置と，を提供する。モジュールはハードウェアとして実現してもよいし，計算機プロセッサによって実行するためのソフトウェア又はファームウェアとして実現してもよい。特にファームウェア又はソフトウェアの場合，本発明は計算機プログラム製品として提供してもよく，該計算機プログラム製品は計算機プロセッサが実行する計算機プログラムコード（すなわちソフトウェア又はファームウェア）を組み込んだ計算機可読記憶構造を含む。
【００６２】
ここで列挙した本発明の種々の実施例は，個別に用いてもよいし，結合して用いてもよいし，特定応用のために選択的に結合して用いてもよいことに注意されたい。
【００６３】
上述の構成は，本発明の原理の応用を例示するものに過ぎないことを理解されたい。当業者であれば，本発明の範囲を逸脱することなく多数の修正物及び代替構成物を想起できるであろう。そして本願請求項はそのような修正物及び構成物を包含するように意図している。
【図面の簡単な説明】
【００６４】
【図１】２重シンボル速度（ＤＳＲ）のスペクトラムを概略示す図である。
【図２】本発明の実施例による，アップリンク通信用修正２重シンボル速度（ＭＤＳＲ）を有する移動体通信システムのブロック図である。
【図３】本発明の実施例による，修正２重シンボル速度（ＭＤＳＲ）のブロック誤り率性能をほかの方法と対比して示すグラフである。
【図４】本発明の実施例による，アップリンク通信用修正２重シンボル速度（ＭＤＳＲ）を有する移動体通信システムの性能を示すフローチャートである。
【図１】
2009533992.tif 000004
【図２】
2009533992.tif 000005
【図３】
2009533992.tif 000006
【図４】
2009533992.tif 000007
【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
サービスベース移動体通信システムにおける移動機が修正２重シンボル速度を有するアップリンク信号を規定するステップであって，前記修正２重シンボル速度は１３／２４ＭＨｚの２重シンボル速度より低く，上記２重シンボル速度を用いたときよりも狭い帯域幅になっており，かつ前記移動体通信システムにおけるアップリンク音声サービスのシンボル速度を所定量だけ超え，上記アップリンク音声サービスと同一又は高い原シンボル期間当たりビット数になっているステップと，
前記移動機が前記アップリンク信号をネットワーク要素へ送信するステップと，
を有する方法。
【請求項２】
前記アップリンク信号は，
直交振幅変調と，
直交位相変調と，
の少なくとも一つを用いて変調する請求項１に記載の方法。
【請求項３】
前記直交振幅変調は，１６状態を有する請求項２に記載の方法。
【請求項４】
前記アップリンク信号は，前記アップリンク音声サービスのビット速度の２倍に実質的に等しいビット速度を有する前記直交振幅変調によって変調する請求項２に記載の方法。
【請求項５】
前記アップリンク信号は，前記アップリンク音声サービスのビット速度に実質的に等しいビット速度を有する前記直交位相変調によって変調する請求項２に記載の方法。
【請求項６】
前記アップリンク信号は，前記直交振幅変調及び前記直交位相変調双方によって変調する請求項２に記載の方法。
【請求項７】
前記アップリンク信号は，前記帯域幅の電力半値幅が実質的に４０５ｋＨｚに等しい１３／３２ＭＨｚの修正２重シンボル速度を有する請求項１に記載の方法。
【請求項８】
前記修正２重シンボル速度を有する前記アップリンク信号は，データサービス用とする請求項１に記載の方法。
【請求項９】
前記修正２重シンボル速度を有する前記アップリンク信号は，パケット交換サービス専用とする請求項１に記載の方法。
【請求項１０】
前記修正２重シンボル速度を有する前記アップリンク信号は，回線交換サービス用及びパケット交換サービス用の双方とする請求項１に記載の方法。
【請求項１１】
前記移動機と前記ネットワーク要素との間の通信は，進化世界移動体通信システム・世界進化形用強化データ速度無線接続網内で実行する請求項１に記載の方法。
【請求項１２】
前記ネットワーク要素は無線基地局装置とする請求項１に記載の方法。
【請求項１３】
前記アップリンク信号は，前記帯域幅の電力半値幅が実質的に３２５ｋＨｚに等しい１３／４０ＭＨｚの修正２重シンボル速度を有する請求項１に記載の方法。
【請求項１４】
前記移動機が修正シンボル速度を有するダウンリンク信号を受信するステップであって，前記修正シンボル速度は前記移動体通信システムにおける前記アップリンク音声サービスの前記シンボル速度を更なる所定量だけ超えているステップ
を更に有する請求項１に記載の方法。
【請求項１５】
計算機プロセッサが実行する計算機プログラムコードを組み込んだ計算機可読記憶媒体であって，前記計算機プログラムコードは，請求項１に記載の方法を実行する命令を有する計算機可読記憶媒体。
【請求項１６】
サービスベース移動体通信システムにおいて修正２重シンボル速度を有するアップリンク信号を発生するように構成したアップリンク信号発生器であって，前記修正２重シンボル速度は１３／２４ＭＨｚの２重シンボル速度より低く，上記２重シンボル速度を用いたときよりも狭い帯域幅になっており，かつ前記移動体通信システムにおけるアップリンク音声サービスのシンボル速度を所定量だけ超え，上記アップリンク音声サービスと同一又は高い原シンボル期間当たりビット数になっているモジュールと，
前記アップリンク信号をネットワーク要素へ送信するように構成したモジュールと，
を備える装置。
【請求項１７】
前記アップリンク信号は，
直交振幅変調と，
直交位相変調と，
の少なくとも一つを用いて変調する請求項１６に記載の装置。
【請求項１８】
前記直交振幅変調は，１６状態を有する請求項１７に記載の装置。
【請求項１９】
前記アップリンク信号は，前記アップリンク音声サービスのビット速度の２倍に実質的に等しいビット速度を有する前記直交振幅変調によって変調する請求項１７に記載の装置。
【請求項２０】
前記アップリンク信号は，前記アップリンク音声サービスのビット速度に実質的に等しいビット速度を有する前記直交位相変調によって変調する請求項１７に記載の装置。
【請求項２１】
前記信号は，前記直交振幅変調及び前記直交位相変調双方によって変調する請求項１７に記載の装置。
【請求項２２】
前記アップリンク信号は，前記帯域幅の電力半値幅が実質的に４０５ｋＨｚに等しい１３／３２ＭＨｚの修正２重シンボル速度を有する請求項１６に記載の装置。
【請求項２３】
前記修正２重シンボル速度を有する前記アップリンク信号は，データサービス用とする請求項１６に記載の装置。
【請求項２４】
前記修正２重シンボル速度を有する前記アップリンク信号は，パケット交換サービス専用とする請求項１６に記載の装置。
【請求項２５】
前記修正２重シンボル速度を有する前記アップリンク信号は，回線交換サービス用及びパケット交換サービス用の双方とする請求項１６に記載の装置。
【請求項２６】
前記装置と前記ネットワーク要素との間の通信は，進化世界移動体通信システム・世界進化用強化データ速度無線接続網内で実行する請求項１６に記載の装置。
【請求項２７】
前記アップリンク信号は，前記帯域幅の電力半値幅が実質的に３２５ｋＨｚに等しい１３／４０ＭＨｚの修正２重シンボル速度を有する請求項１６に記載の装置。
【請求項２８】
前記装置が備えるモジュール又は別個の受信器は，修正シンボル速度を有するダウンリンク信号を受信するように更に構成されており，前記修正シンボル速度は前記移動体通信システムにおける前記アップリンク音声サービスの前記シンボル速度を更なる所定量だけ超えている請求項１６に記載の装置。
【請求項２９】
移動体通信システムであって，
修正２重シンボル速度を有するアップリンク信号を供給するように構成された移動機であって，前記修正２重シンボル速度は１３／２４ＭＨｚの２重シンボル速度より低く，上記２重シンボル速度を用いたときよりも狭い帯域幅になっており，かつ前記移動体通信システムにおけるアップリンク音声サービスのシンボル速度を所定量だけ超え，上記アップリンク音声サービスと同一又は高い原シンボル期間当たりビット数になっている移動機と，
前記アップリンク信号を受信するように構成したネットワーク要素と，
を備える移動体通信システム。
【請求項３０】
前記アップリンク信号は，
直交振幅変調と，
直交位相変調と，
の少なくとも一つを用いて変調する請求項２９に記載の移動体通信システム。
【請求項３１】
前記移動機は，無線通信デバイス，携帯デバイス，移動体通信デバイス，携帯電話機，又はカメラ機能付き携帯電話機とする請求項２９に記載の移動体通信システム。
【請求項３２】
移動体通信システムのネットワーク要素であって，
修正２重シンボル速度を有するアップリンク信号を受信するように構成した受信器であって，前記修正２重シンボル速度は１３／２４ＭＨｚの２重シンボル速度より低く，上記２重シンボル速度を用いたときよりも狭い帯域幅になっており，かつ前記移動体通信システムにおけるアップリンク音声サービスのシンボル速度を所定量だけ超え，上記アップリンク音声サービスと同一又は高い原シンボル期間当たりビット数になっている受信器と，
前記アップリンク信号を更なるネットワーク要素へ更なるアップリンクを介して送信するように構成した処理・再送信モジュールと，
を備えるネットワーク要素。
【請求項３３】
前記アップリンク信号は，
直交振幅変調と，
直交位相変調と，
の少なくとも一つを用いて変調する請求項３２に記載のネットワーク要素。
【請求項３４】
前記修正２重シンボル速度を有する前記アップリンク信号における干渉を減少させるために，移動機に対する命令信号を供給するように構成した修正２重シンボル速度スケジュール管理モジュールを更に備える請求項３２に記載のネットワーク要素。
【請求項３５】
修正２重シンボル速度を有するダウンリンク信号を送信するように構成した送信器であって，前記修正２重シンボル速度は前記移動体通信システムにおける前記アップリンク音声サービスの前記シンボル速度を更なる所定量だけ超えている送信器を更に備える請求項３２に記載のネットワーク要素。
【請求項３６】
前記ダウンリンク信号は，前記帯域幅の電力半値幅が実質的に３２５ｋＨｚに等しい１３／４０ＭＨｚの修正２重シンボル速度を有する請求項３２に記載のネットワーク要素。
【請求項３７】
サービスベース移動体通信システムのネットワーク要素が修正２重シンボル速度を有するアップリンク信号を受信するステップであって，前記修正２重シンボル速度は１３／２４ＭＨｚの２重シンボル速度より低く，上記２重シンボル速度を用いたときよりも狭い帯域幅になっており，かつ前記移動体通信システムにおけるアップリンク音声サービスのシンボル速度を所定量だけ超え，上記アップリンク音声サービスと同一又は高い原シンボル期間当たりビット数になっているステップと，
前記ネットワーク要素が前記アップリンク信号を更なるネットワーク要素へ更なるアップリンクを介して再送信するステップと，
を有する方法。
【請求項３８】
前記アップリンク信号は，
直交振幅変調と，
直交位相変調と，
の少なくとも一つを用いて変調する請求項３７に記載の方法。
【請求項３９】
前記移動機が供給する前記アップリンク信号における干渉を減少させるために，移動機に対する命令信号を前記ネットワーク要素が供給するステップを更に備える請求項３７に記載の方法。
【請求項４０】
計算機プロセッサが実行する計算機プログラムコードを組み込んだ計算機可読記憶媒体であって，前記計算機プログラムコードは，請求項３７に記載の方法を実行する命令を有する計算機可読記憶媒体。
【請求項４１】
サービスベース移動体通信システムにおいて修正２重シンボル速度を有するアップリンク信号を発生するように構成されたアップリンク信号発生手段であって，前記修正２重シンボル速度は１３／２４ＭＨｚの２重シンボル速度より低く，上記２重シンボル速度を用いたときよりも狭い帯域幅になっており，かつ前記移動体通信システムにおけるアップリンク音声サービスのシンボル速度を所定量だけ超え，上記アップリンク音声サービスと同一又は高い原シンボル期間当たりビット数になっている手段と，
前記アップリンク信号をネットワーク要素へ送信するように構成した送受信手段と，
を備える装置。
【請求項４２】
前記信号発生手段は，アップリンクスケジュール管理及び信号発生モジュールとする請求項４１に記載の装置。
【請求項４３】
サービスベース移動体通信システムにおいて修正２重シンボル速度を有するアップリンク信号を受信する手段であって，前記修正２重シンボル速度は１３／２４ＭＨｚの２重シンボル速度より低く，上記２重シンボル速度を用いたときよりも狭い帯域幅になっており，かつ前記移動体通信システムにおけるアップリンク音声サービスのシンボル速度を所定量だけ超え，上記アップリンク音声サービスと同一又は高い原シンボル期間当たりビット数になっているステップと，
前記修正２重シンボル速度を有する前記アップリンク信号を更なるネットワーク要素へ更なるアップリンクを介して再送信する手段と，
を備えるネットワーク要素。
【請求項４４】
前記修正２重シンボル速度を有する前記アップリンク信号における干渉を減少させるために，移動機に対する命令信号を供給する手段を更に備える請求項４３に記載のネットワーク要素。
【国際調査報告】
2009533992.tif 000008
2009533992.tif 000009
2009533992.tif 000010
2009533992.tif 000011